(57)【要約】【課題】線量分布測定が容易で、かつ、線量分布の測定の際に照射野形成装置の取付け精度に歪みが生じるおそれのない放射線治療装置を提供する。【解決手段】放射線治療を行う治療室７１と、治療室７１の壁面又は天井面に固定された放射線を照射する照射野形成装置１３とを備えた放射線治療装置において、上記照射野形成装置１３から照射される放射線の線量を測定する線量分布測定装置２１と、その線量分布測定装置２１を、上記治療室７１内の照射野形成装置１３と対向する位置に出没自在に移動案内する移動機構２２とを備えたものである。【選択図】図８
2008104888.tif 000002
【特許請求の範囲】
【請求項１】
放射線治療を行う治療室と、治療室の壁面又は天井面に固定された放射線を照射する照射野形成装置とを備えた放射線治療装置において、
上記照射野形成装置から照射される放射線の線量を測定する線量分布測定装置と、その線量分布測定装置を、上記治療室内の照射野形成装置と対向する位置に出没自在に移動案内する移動機構とを備えたことを特徴とする放射線治療装置。
【請求項２】
上記線量分布測定装置が、垂直方向及び／又は水平方向に移動自在な移動機構の先端部に設けられ、照射野形成装置から照射された放射線の、水中での線量分布を測定する水ファントム部と、その水ファントム部を照射野形成装置に対して近接・離間させる駆動機構とを備えた請求項１記載の放射線治療装置。
【請求項３】
上記水ファントム部が、水が充満された密閉水槽と、その密閉水槽内に配置される放射線検知器と、その放射線検知器を、密閉水槽の高さ方向と垂直な面に走査させる走査手段および密閉水槽の高さ方向に移動させる移動手段とを備えた請求項２記載の放射線治療装置。
【請求項４】
上記水ファントム部が、水が充満された密閉水槽と、その密閉水槽内に配置され、複数の放射線検知器からなる検知センサと、その検知センサを、密閉水槽の高さ方向と垂直な面で回転させる回転手段および密閉水槽の高さ方向に移動させる移動手段とを備えた請求項２記載の放射線治療装置。
【請求項５】
上記複数の放射線検知器を、十文字状又は一文字状に配列して検知センサを形成した請求項４記載の放射線治療装置。
【発明の詳細な説明】
【技術分野】
【０００１】
本発明は、放射線治療装置に係り、特に、水ファントム型の線量分布測定装置を備えた放射線治療装置に関するものである。
【背景技術】
【０００２】
癌などの疾病の治療法として最も一般的な、外科手術による切開・除去の他に、体内の癌細胞などに陽子線を含む放射線をピンポイントで照射して治療する放射線治療法がある。この放射線治療法は、外科手術を伴わないため、体力が低下した患者などにも適用可能であると共に、入院期間の短縮を図ることが可能であり、生活の質の向上を目指した治療法として導入されつつある。
【０００３】
この放射線治療装置、例えば陽子線治療装置は、図１に示すように、陽子を加速器（図示せず）で高エネルギまで加速してなる陽子線を、照射野形成装置１３からベッド（台）１１上の放射線治療者１５に照射するものである。陽子線治療装置としては、照射野形成装置１３をベッド１１の周りに公転可能に支持する回転ガントリ１２を備えた回転ガントリ型のもの（特許文献１等参照）や、照射野形成装置１３を側壁又は天井に固定した固定型のものが挙げられる。
【０００４】
ここで、陽子線は、放射線治療者１５の癌細胞などの形状・存在位置に応じて、所望の３次元形状に、かつ、所望の線量分布に調整された状態で照射する必要があるため、照射野形成装置１３による照射野の形成精度が問題となってくる。よって、照射野の形成精度が良好であるかどうかを検査すべく、線量分布の測定を行う必要がある。この線量分布の測定には、人体による吸収を模した水が充填された密閉水槽内に、センサを配置してなる水ファントム型線量分布測定装置（以下、水ファントムと表す）が一般的に用いられており、特許文献１記載の線量分布測定装置においては、照射野形成装置１３に対して水ファントムを直接取付けることで、照射野形成装置１３の回転に応じて水ファントムを一体的に回転させ、線量分布の測定を行っている。
【０００５】
【特許文献１】特開平１１−６４５３０号公報
【発明の開示】
【発明が解決しようとする課題】
【０００６】
ところで、水ファントム、例えば、１辺が４０ｃｍの立方体である水ファントムは、重量が７０ｋｇ以上にもなる重量物である。線量分布の測定は定期的に（例えば、１日に１回又は２回）行われることから、線量分布の測定の度に水ファントムを取付け、測定後は撤去するという作業は大変な重労働であり、また、これらの作業を行うには長時間を要するという問題があった。
【０００７】
また、前述したように、水ファントムは重量物であることから、固定型及び回転ガントリ型の陽子線治療装置の各照射野形成装置１３に水ファントムを直接取付けると、各照射野形成装置１３に大きな負荷がかかってしまうため、照射野の形成精度が重要である照射野形成装置１３の取付け精度に、歪みが生じるおそれがあった。特に、任意の角度に陽子線を照射する回転ガントリ型の陽子線治療装置において、照射野形成装置１３を任意の角度に傾けた状態で線量分布の測定を精度良く行うことは困難であった。
【０００８】
以上の事情を考慮して創案された本発明の目的は、線量分布測定が容易で、かつ、線量分布の測定の際に照射野形成装置の取付け精度に歪みが生じるおそれのない放射線治療装置を提供することにある。
【課題を解決するための手段】
【０００９】
上記目的を達成すべく本発明に係る放射線治療装置は、放射線治療を行う治療室と、治療室の壁面又は天井面に固定された放射線を照射する照射野形成装置とを備えた放射線治療装置において、上記照射野形成装置から照射される放射線の線量を測定する線量分布測定装置と、その線量分布測定装置を、上記治療室内の照射野形成装置と対向する位置に出没自在に移動案内する移動機構とを備えたものである。
【００１０】
具体的には、上記線量分布測定装置が、垂直方向又は水平方向に移動自在な移動機構の先端部に設けられ、照射野形成装置から照射された放射線の、水中での線量分布を測定する水ファントム部と、その水ファントム部を照射野形成装置に対して近接・離間させる駆動機構とを備えていることが好ましい。
【００１１】
また、上記水ファントム部が、水が充満された密閉水槽と、その密閉水槽内に配置される放射線検知器と、その放射線検知器を、密閉水槽の高さ方向と垂直な面に走査させる走査手段および密閉水槽の高さ方向に移動させる移動手段とを備えていること、または、上記水ファントム部が、水が充満された密閉水槽と、その密閉水槽内に配置され、複数の放射線検知器からなる検知センサと、その検知センサを、密閉水槽の高さ方向と垂直な面で回転させる回転手段および密閉水槽の高さ方向に移動させる移動手段とを備えていることが好ましい。さらに、上記複数の放射線検知器を、十文字状又は一文字状に配列して検知センサを形成することが好ましい。
【００１２】
これによって、従来、作業者による手作業で行っていた線量分布測定装置の設置・撤去が、線量分布測定装置の移動機構及び駆動機構の操作だけで可能となり、線量分布の測定が容易となる。また、線量分布の測定の際に、線量分布測定装置を照射野形成装置に直接取付けるのではなく、近接させるだけであるため、照射野形成装置の取付け精度に歪みが生じることがなくなる。
【発明の効果】
【００１３】
本発明によれば、次のような優れた効果を発揮する。
（１）  従来、作業者による手作業で行っていた線量分布測定装置の設置・撤去が、線量分布測定装置の移動機構及び駆動機構の操作だけで可能となり、線量分布の測定が容易となる。
（２）  線量分布の測定の際に、線量分布測定装置を照射野形成装置に直接取付けるのではなく、近接させるだけであるため、照射野形成装置の取付け精度に歪みが生じることがなくなる。
【発明を実施するための最良の形態】
【００１４】
以下、本発明の好適一実施の形態を添付図面に基いて説明する。
【００１５】
まず、本発明に関連する参考例を説明する。
（参考例）
参考例に係る放射線治療装置を用いて線量分布測定を行うための説明図を図２〜図４に、図２〜図４における水ファントム部の拡大斜視図を図５に、図５の水ファントム部における検知センサの変形例を図６に示す。尚、図１と同様の部材には同じ符号を付しており、これらの部材についての詳細な説明は省略する。
【００１６】
図２〜図５に示すように、参考例に係る放射線治療装置は、略円筒状の回転ガントリ１２と、回転ガントリ１２の内部に形成された放射線治療を行う治療室４０ｂと、回転ガントリ１２の内面１２ａに支持された照射野形成装置１３とを備え、照射野形成装置１３から照射される放射線の線量を測定する線量分布測定装置２１と、その線量分布測定装置２１を、治療室内の照射野形成装置１３と対向する位置に出没自在に移動案内し、かつ、照射野形成装置１３と連動して回転する移動機構２２とを備えたものである。また、線量分布測定装置２１及び移動機構２２は、回転ガントリ１２の回転軸Ｃ１と照射野形成装置１３の中心軸Ｃ２とを含む同一平面上に設けられるものであり、移動機構２２は回転軸Ｃ１の延長方向（図２〜図４中では左右方向）に移動自在である。
【００１７】
回転ガントリ１２は、一端（図２〜図４中では左端）だけが閉口した円筒部材３０と、円筒部材３０を仕切る隔壁３４とで主に構成され、円筒部材３０の内部に閉空間４０ａ及び開空間（治療室）４０ｂを有している。隔壁３４は、リング状の部材３２の両端面（図２〜図４中では左右端面）に円板状の隔壁部材３１ａ，３１ｂを固定して設けたものであり、その内部に空間３３を有している。また、円筒部材３０には駆動手段（図示せず）が接続されており、この駆動手段を駆動させることで回転ガントリ１２が周方向に回動し、その結果、円筒部材３０及び隔壁３４が回動する。また、隔壁３４に固定される線量分布測定装置２１の水ファントム部２３（後述）も回動する。
【００１８】
台１１には、台１１自体を水平方向（図４中の矢印Ｂの方向）に回転させる回転機構４５が連結されている。また、台１１には、回転軸Ｃ１の延長方向への移動機構４６と、回転軸Ｃ１の延長方向と垂直な方向（図２〜図４中では図面に垂直な方向）への移動機構４７とが連結されている。これによって、台１１上の放射線治療者１５の、水平方向の位置及び向きを自在に調節することができる。
【００１９】
線量分布測定装置２１は、回転軸Ｃ１の延長方向（図２〜図４中では左右方向）に移動（伸縮）自在な移動機構２２の先端部（図２〜図４中では右端部）に設けられ、照射野形成装置１３から照射された陽子線の、水中での線量分布を測定する水ファントム部２３と、その水ファントム部２３を照射野形成装置１３に対して近接・離間させる駆動機構２４（図５参照）とを備えている。
【００２０】
ここで、移動機構２２は、固定側の第１フレーム部材２２ａと駆動側の第２フレーム部材２２ｂとで主に構成され、フレーム部材２２ａ，２２ｂは線運動ガイド（ＬＭ（linear motion）ガイド）を介してスライド自在となっている。また、固定側の第１フレーム部材２２ａは、隔壁部材３１ａに固定して設けられる。さらに、フレーム部材２２ｂに固定された係合部材４２が、フレーム部材２２ａの内部に回転軸Ｃ１の延長方向に配置されたボールネジ４３と係合しており、駆動モータ（例えば、ステッピングモータ）４４によってボールネジ４３を回転駆動させることで、係合部材４２に固定されたフレーム部材２２ｂが回転軸Ｃ１の延長方向に移動する。隔壁部材３１ａに対するフレーム部材２２ａの固定位置は、図２〜図４中では回転軸Ｃ１の下方であり、また、フレーム部材２２ａ，２２ｂの配列方向は、図２〜図４中では上下方向であるが、移動機構の水平方向（図２〜図４中では図面と垂直な方向）の中心軸が、回転軸Ｃ１と中心軸Ｃ２とを含む同一平面上又はその近傍に位置していれば、特に限定するものではない。
【００２１】
駆動機構２４は、水ファントム部２３を載せる台部材２５と、台部材２５と係合して設けられ、照射野形成装置１３に対して近接・離間させる取付け部材２６とで構成され、この取付け部材内部に設けられた駆動装置（図示せず）によって、台部材２５が上下方向に昇降自在となる。
【００２２】
水ファントム部２３は、水５１が充満された密閉水槽５２と、その密閉水槽５２内に配置され、複数の放射線検知器５３からなる検知センサ５４と、その検知センサ５４を、密閉水槽５２の高さ方向（図５中では上下方向）と垂直な面で回転させる回転手段５５および密閉水槽５２の高さ方向に移動させる移動手段５６とを備えている。水ファントム部２３及び駆動機構２４は、密閉水槽５２の中心軸Ｃ３と回転軸Ｃ１とが直交するように、つまり、回転軸Ｃ１と中心軸Ｃ３とが同一平面上に位置するように、移動機構２２（フレーム部材２２ｂ）の先端部に取付けられる。
【００２３】
参考例においては、移動機構２２を回転軸Ｃ１の延長方向に移動させる場合について説明を行ったが、密閉水槽５２の中心軸Ｃ３と照射野形成装置１３の中心軸Ｃ２とを一致させることが可能であれば（図３参照）、その移動方向は特に限定するものではない。
【００２４】
次に、参考例の放射線治療装置の稼働方法を、添付図面を用いて説明する。
【００２５】
放射線治療装置による治療に先立って、照射野形成装置１３による照射野の形成精度が良好であるかどうかを検査すべく、線量分布の測定を行う。この測定は、例えば、装置を最初に稼働させる前、最後に稼働させた後、又は放射線治療を行う直前ごとに行う。
【００２６】
先ず、図２に示すように、目的とする照射野が得られるように、駆動手段を駆動させて回転ガントリ１２を回動させ、照射野形成装置１３を任意のある一定の角度だけ傾かせる（図２では垂直方向）。この時、回転ガントリ１２の回動によって線量分布測定装置２１も連動して傾き、照射野形成装置１３とは反対の方向にある一定の角度だけ傾く。つまり、照射野形成装置１３を傾けて時計の針の１、２、３時の位置に位置させた場合、線量分布測定装置２１は時計の針の７、８、９時の位置に位置するように傾く。
【００２７】
次に、ステッピングモータ４４を回転駆動させて、図３に示すように、閉空間４０ａ内に位置する第２フレーム部材２２ｂを開空間４０ｂ側に伸張させ、隔壁３４の空間３３内に位置する水ファントム部２３を、照射野形成装置１３と対向する位置まで突出させる。この時、照射野形成装置１３の中心軸Ｃ２と、水ファントム部２３における密閉水槽５２の中心軸Ｃ３とが一致する位置まで、フレーム部材２２ｂの伸張を行う。また、前述したように、回転軸Ｃ１及び中心軸Ｃ２，Ｃ３は全て同一平面上に位置していることから、中心軸Ｃ２，Ｃ３を一致させるためには、フレーム部材２２ｂを回転軸Ｃ１の延長方向にスライドさせる一軸制御だけでよい。尚、フレーム部材２２ｂの伸張及び水ファントム部２３の突出を妨げないように、隔壁３４における隔壁部材３１ａ，３１ｂの当該箇所に開口部（図示せず）が形成されている。
【００２８】
次に、線量分布測定装置２１の駆動機構２４を作動させ、図３に示すように、水ファントム部２３における検知センサ５４の基準位置（例えば、密閉水槽５２の高さ方向中央よりも下方の位置）と、回転ガントリ１２の回転軸Ｃ１と照射野形成装置１３の中心軸Ｃ２との交点であるアイソセンター（照射位置）Ｏとが一致するまで、水ファントム部２３を照射野形成装置１３に対して近接させる。この時、水ファントム部２３は照射野形成装置１３に直接取付けられておらず、水ファントム部２３と照射野形成装置１３とは離間している。
【００２９】
次に、照射野形成装置１３から陽子線を照射し、水ファントム部２３における密閉水槽５２内に、アイソセンターＯを原点とした照射野を形成する。この照射野は、例えば、アイソセンターＯを中心に形成されるものであり、その形状は癌細胞等の放射線治療部と同じ３次元形状を呈している。この照射野の形成に先立って、移動手段５６を駆動させて、検知センサ５４を照射野における最も照射野形成装置１３側の位置に位置させておく。
【００３０】
次に、回転手段５５を駆動させて検知センサ５４を回転させ、その回転面における照射野の線量分布を走査する。その後、移動手段５６を駆動させて検知センサ５４を１ピッチ分だけ台部材２５側（図５中では下側）に下降させると共に、その位置で検知センサ５４を再び回転させ、その回転面における照射野の線量分布を走査する。この操作を順次繰り返し、照射野全体の線量分布の測定を行う。この測定によって実際に得られた照射野（測定値）と目的とする照射野（入力値）とを比較することで、形成精度の誤差が得られる。この誤差が許容範囲内であれば放射線治療を行うことが可能であり、誤差が許容範囲外であれば調整・修理などが必要となる。
【００３１】
線量分布測定後、線量分布測定装置２１の駆動機構２４を作動させ、水ファントム部２３を照射野形成装置１３から離間させて、中立位置に戻す。その後、ステッピングモータ４４を伸張時とは逆の方向に回転駆動させて、図４に示すように、開空間４０ｂ側に伸張している第２フレーム部材２２ｂを閉空間４０ａ側に収縮させ、水ファントム部２３を隔壁３４の空間３３内に収納する。
【００３２】
次に、台１１上に放射線治療者１５を載せ、放射線治療者１５の治療箇所がアイソセンターＯに位置するように回転機構４５及び移動機構４６，４７を駆動させ、位置の仮決めを行う。その後、デジタル式放射線透過装置（ＤＲ（digital radiograph）装置（図示せず））等を用いて放射線治療者１５の治療箇所の位置を確認・決定する。
【００３３】
その後、目的とする照射野が得られるように調整した照射野形成装置１３から陽子線を照射して放射線治療を行う。
【００３４】
参考例の放射線治療装置によれば、照射野の形成精度を検査するための線量分布測定の際、容易に線量分布測定装置２１を設置することができる。具体的には、ステッピングモータ４４を回転駆動させることで、移動機構２２のフレーム部材２２ｂがスライド移動して伸張すると共に、駆動機構２４を作動させることで、水ファントム部２３が照射野形成装置１３に対向する位置に移動する。また、測定後は設置時と逆の操作を行うことで、容易に線量分布測定装置２１を撤去することができる。よって、従来のように、線量分布測定の度に、重量物である水ファントムを搬送台車などを用いて回転ガントリ１２の開空間４０ｂ内に運び込み、作業者による手作業で照射野形成装置１３に取付ける必要はない。
【００３５】
また、予め、回転軸Ｃ１及び中心軸Ｃ２，Ｃ３が全て同一平面上に位置するように設けていることから、フレーム部材２２ｂを回転軸Ｃ１の延長方向にスライドさせる一軸制御だけで、中心軸Ｃ２，Ｃ３を一致させることができる。よって、線量分布測定の際、線量分布測定装置２１の水ファントム部２３を、所定位置に設置するための調整が容易であり、その結果、線量分布測定に伴う設置作業に要する時間の短縮化を図ることができる。
【００３６】
さらに、水ファントム部２３の設置は、照射野形成装置１３に対向する位置に近接させるだけであって、水ファントム部２３は照射野形成装置１３に直接取付けるものではないことから、照射野形成装置１３自体、及び回転ガントリ１２における照射野形成装置１３の支持位置に負荷がかかることはない。このため、照射野形成装置１３を任意の角度に傾けた状態であっても、水ファントム部２３による線量分布の測定が可能となる。その結果、照射野の形成精度が重要である照射野形成装置１３において、回転ガントリ１２に対する取付け精度に歪みが生じることはなく、また、照射野形成装置１３を任意の角度に傾けた状態で線量分布の測定、すなわち実際の放射線治療時と同じ環境下で線量分布の測定を行うことができる。
【００３７】
次に、本発明の一実施の形態を添付図面に基いて説明する。
（本実施の形態）
参考例の放射線治療装置は、照射野形成装置１３を任意の角度に傾けることができる回転ガントリ型であった。
【００３８】
本実施の形態に係る放射線治療装置を用いて線量分布測定を行うための説明図を図７〜図９に示す。尚、本実施の形態に係る照射野形成装置１３、線量分布測定装置２１および移動機構２２などは、参考例のものと同様の構成を有する。そこで、図２〜図４と同様の部材には同じ符号を付しており、これらの部材についての詳細な説明は省略する。
【００３９】
図７〜図９に示すように、本実施の形態に係る放射線治療装置は、放射線治療を行う治療室７１と、治療室７１内に配置され、放射線治療者１５を載置するための台８１と、治療室７１の壁面（又は天井面）に固定された放射線を照射する照射野形成装置１３とを備えた固定型のものであり、照射野形成装置１３と対向する位置に近接・離間自在な線量分布測定装置２１を有するものである。
【００４０】
照射野形成装置１３の中心軸Ｃ２を含んだ治療室７１の床面７２と垂直な面上に、水ファントム部２３における密閉水槽５２の中心軸Ｃ３が位置するように、線量分布装置２１が設けられる。
【００４１】
台８１の下部には、台８１の高さ方向（図７〜図９中では上下方向）と垂直な面で回転させる回転手段（図示せず）及び台８１の高さ方向に移動させる昇降手段（図示せず）が連結・接続され、回転及び昇降自在に設けられている。ここで、台８１の回転軸Ｃ４は、台８１の背もたれ面８２の中心を通るものである。
【００４２】
次に、本実施の形態の放射線治療装置の稼働方法を、添付図面を用いて説明する。また、必要に応じて、図２〜図５を参照する。
【００４３】
先ず、ステッピングモータ４４（図４参照）を回転駆動させて、図７に示すように、治療室７１外に位置する第２フレーム部材２２ｂを治療室７１側に伸張させ、治療室７１外に位置する水ファントム部２３を照射野形成装置１３と対向する位置まで突出させる。この時、照射野形成装置１３の中心軸Ｃ２と、水ファントム部２３における密閉水槽５２の中心軸Ｃ３とが一致する位置まで、フレーム部材２２ｂの伸張を行う。また、前述したように、中心軸Ｃ２，Ｃ３は同一平面上に位置していることから、中心軸Ｃ２，Ｃ３を一致させるためには、フレーム部材２２ｂを中心軸Ｃ２，Ｃ３と直交する方向（図７中では下方向）にスライドさせる一軸制御だけでよい。尚、フレーム部材２２ｂの伸張及び水ファントム部２３の突出を妨げないように、治療室７１の天井の当該箇所に開口部（図示せず）が形成されている。
【００４４】
次に、線量分布測定装置２１の駆動機構２４（図５参照）を作動させ、図８に示すように、水ファントム部２３における検知センサ５４（図５参照）の基準位置（例えば、密閉水槽５２の長さ方向（図７中では左右方向）中央よりも右側の位置）と、照射野形成装置１３の中心軸Ｃ２と回転軸Ｃ４との交点であるアイソセンター（照射位置）Ｏとが一致するまで、水ファントム部２３を照射野形成装置１３に対して近接させる。この時、水ファントム部２３は照射野形成装置１３に直接取付けられておらず、水ファントム部２３と照射野形成装置１３とは離間している。
【００４５】
次に、照射野形成装置１３から陽子線を照射し、水ファントム部２３における密閉水槽５２内に、アイソセンターＯを原点とした照射野を形成する。この照射野は、例えば、アイソセンターＯを中心に形成されるものであり、その形状は癌細胞等の放射線治療部と同じ３次元形状を呈している。この照射野の形成に先立って、移動手段５６を駆動させて、検知センサ５４を照射野における最も照射野形成装置１３側の位置に位置させておく。
【００４６】
次に、回転手段５５を駆動させて検知センサ５４を回転させ（図５参照）、その回転面における照射野の線量分布を走査する。その後、移動手段５６を駆動させて検知センサ５４を１ピッチ分だけ台部材２５側（図７中では右側）にスライドさせると共に、その位置で検知センサ５４を再び回転させ、その回転面における照射野の線量分布を走査する。この操作を順次繰り返し、照射野全体の線量分布の測定を行う。この測定によって実際に得られた照射野（測定値）と目的とする照射野（入力値）とを比較することで、形成精度の誤差が得られる。この誤差が許容範囲内であれば放射線治療を行うことが可能であり、誤差が許容範囲外であれば調整・修理などが必要となる。
【００４７】
線量分布測定後、線量分布測定装置２１の駆動機構２４を作動させ、水ファントム部２３を照射野形成装置１３から離間させて、中立位置に戻す。その後、ステッピングモータ４４を伸張時とは逆の方向に回転駆動させて、治療室７１側に伸張している第２フレーム部材２２ｂを収縮させ（図４参照）、図９に示すように、水ファントム部２３を治療室７１外に収納する。
【００４８】
次に、台８１上に放射線治療者１５を載せ、放射線治療者１５のアイソセンターＯに位置するように、回転手段、水平移動手段、及び昇降手段を調整する。その後、デジタル式放射線透過装置（ＤＲ（digital radiograph）装置（図示せず））等を用いて放射線治療者１５の治療箇所の位置を確認・決定する。
【００４９】
その後、目的とする照射野が得られるように調整した照射野形成装置１３から陽子線を照射して放射線治療を行う。
【００５０】
本実施の形態の放射線治療装置は、照射野形成装置１３を任意の角度に傾けることができないこと以外は、参考例の放射線治療装置と同様の作用効果を得ることができる。
【００５１】
また、本実施の形態の放射線治療装置は、参考例の放射線治療装置のように回転ガントリを伴わないため、装置構成が簡易となり、装置の小型・軽量化を図ることができると共に、低コストで製造可能である。
【００５２】
以上、本発明の実施の形態は、上述した実施の形態に限定されるものではなく、他にも種々のものが想定されることは言うまでもない。
【００５３】
上述の実施の形態においては、図５に示すように、放射線検知器５３を十文字状に配列してなる検知センサ５４を用いた場合について説明を行ったが、これに限定するものではない。例えば、図６に示すように、放射線検知器５３を一文字状に配列してなる検知センサ６４や、放射線検知器５３を放射状に配列してなる検知センサであってもよい。
【００５４】
また、検知センサを１個の放射線検知器５３だけで形成してもよい。この場合、図５、図６に示した水ファントム部２３及び駆動機構２４において、放射線検知器を密閉水槽５２の高さ方向と垂直な面に走査させる走査手段（図示せず）が新たに必要となり、また、図５、図６に示した回転手段５５は必要としなくなる。走査手段としては、例えば、台部材２５と密閉水槽５２との間に配置され、密閉水槽５２全体をＸ軸方向（図５、図６中では左右方向）及びＹ軸方向（図５、図６中では奥行き方向）に移動自在に動かすことができるＸ軸−Ｙ軸移動テーブルなどが挙げられる。
【図面の簡単な説明】
【００５５】
【図１】回転ガントリ型の放射線治療装置の斜視図である。
【図２】参考例に係る放射線治療装置を用いて線量分布測定を行うための説明図であり、線量分布測定前の状態である。
【図３】参考例に係る放射線治療装置を用いて線量分布測定を行うための説明図であり、線量分布測定中の状態である。
【図４】参考例に係る放射線治療装置を用いて線量分布測定を行うための説明図であり、線量分布測定後の状態である。
【図５】図２〜図４における水ファントム部の拡大斜視図である。
【図６】図５の水ファントム部における検知センサの変形例を示す斜視図である。
【図７】本発明の一実施形態に係る放射線治療装置を用いて線量分布測定を行うための説明図であり、線量分布測定前の状態である。
【図８】本実施の形態に係る放射線治療装置を用いて線量分布測定を行うための説明図であり、線量分布測定中の状態である。
【図９】本実施の形態に係る放射線治療装置を用いて線量分布測定を行うための説明図であり、線量分布測定後の状態である。
【符号の説明】
【００５６】
１１，８１  台
１２  回転ガントリ
１２ａ  内面（回転ガントリ）
１３  照射野形成装置
１５  放射線治療者
２１  線量分布測定装置
２２  移動機構
２３  水ファントム部
２４  駆動機構
５１  水
５２  密閉水槽
５３  放射線検知器
５４，６４  検知センサ
５５  回転手段
５６  移動手段
７１  治療室
Ｃ１  回転ガントリの回転軸
Ｃ２  照射野形成装置の中心軸
【図１】
2008104888.tif 000003
【図２】
2008104888.tif 000004
【図３】
2008104888.tif 000005
【図４】
2008104888.tif 000006
【図５】
2008104888.tif 000007
【図６】
2008104888.tif 000008
【図７】
2008104888.tif 000009
【図８】
2008104888.tif 000010
【図９】
2008104888.tif 000011
【手続補正書】
【提出日】平成20年1月22日(2008.1.22)
【手続補正１】
【補正対象書類名】特許請求の範囲
【補正対象項目名】請求項１
【補正方法】変更
【補正の内容】
【請求項１】
放射線治療を行う放射線治療者が着座するための台が床面上に設けられた治療室と、その治療室の壁面に固定され、上記台の上方に設定されるアイソセンターＯに向けて放射線を水平に照射する照射野形成装置と、その照射野形成装置から照射される放射線の線量を測定する線量分布測定装置とを備えた放射線治療装置において、
上記台の上方の上記治療室の天井に、上記線量分布測定装置が通過可能な開口部を形成し、その台の上方の天井の外に、上記開口部を通り上下に伸縮自在かつ先端部が上記治療室内の上記アイソセンターＯまで伸長可能な移動機構を設け、その移動機構の先端部に上記線量分布測定装置を設けたことを特徴とする放射線治療装置。
【手続補正２】
【補正対象書類名】特許請求の範囲
【補正対象項目名】請求項２
【補正方法】変更
【補正の内容】
【請求項２】
上記線量分布測定装置が、上記照射野形成装置から照射された放射線の、水中での線量分布を測定する水ファントム部と、その水ファントム部を照射野形成装置に対して近接・離間させる駆動機構とを備えた請求項１記載の放射線治療装置。
【手続補正３】
【補正対象書類名】明細書
【補正対象項目名】０００９
【補正方法】変更
【補正の内容】
【０００９】
上記目的を達成すべく本発明に係る放射線治療装置は、放射線治療を行う放射線治療者が着座するための台が床面上に設けられた治療室と、その治療室の壁面に固定され、上記台の上方に設定されるアイソセンターＯに向けて放射線を水平に照射する照射野形成装置と、その照射野形成装置から照射される放射線の線量を測定する線量分布測定装置とを備えた放射線治療装置において、上記台の上方の上記治療室の天井に、上記線量分布測定装置が通過可能な開口部を形成し、その台の上方の天井の外に、上記開口部を通り上下に伸縮自在かつ先端部が上記治療室内の上記アイソセンターＯまで伸長可能な移動機構を設け、その移動機構の先端部に上記線量分布測定装置を設けたものである。
【手続補正４】
【補正対象書類名】明細書
【補正対象項目名】００１０
【補正方法】変更
【補正の内容】
【００１０】
具体的には、上記線量分布測定装置が、上記照射野形成装置から照射された放射線の、水中での線量分布を測定する水ファントム部と、その水ファントム部を照射野形成装置に対して近接・離間させる駆動機構とを備えていることが好ましい。